(57)【要約】【課題】簡易な構成でノズルへの異物の付着を抑制できるインクジェット記録装置を提供する。【解決手段】インクジェット記録装置は、溝３２１ａと、貫通孔３２２ａとが形成されたガイド部材３２を備える。またインクジェット記録装置は、空間形成部材３５と、記録ヘッド３４ａとを備える。ガイド部材３２は、第１領域Ａから第２領域Ｂへ被記録媒体を案内する。空間形成部材３５は、第１領域Ａにおいてガイド部材３２に対向し、ガイド部材３２との間に異物回収空間を形成する。記録ヘッド３４ａは、第２領域Ｂにおいてガイド部材３２に対向する。溝３２１ａは、第１領域Ａから第２領域Ｂまで延伸し、第２領域Ｂに投影される第１部分Ｓ１と、第１部分Ｓ１を除く第２部分Ｓ２とを有する。溝３２１ａの第１部分Ｓ１の深さＨ１は、溝３２１ａの第２部分Ｓ２の深さＨ２よりも浅い。【選択図】図７
2016112742.tif 000002
【特許請求の範囲】
【請求項１】
インク滴を吐出して、被記録媒体に画像を記録するインクジェット記録装置であって、
前記被記録媒体が搬送される第１方向に延伸する複数の溝と、前記溝内に開口して前記溝に連通する貫通孔と、前記複数の溝が前記第１方向及び前記第１方向に直交する第２方向に沿って形成される支持面とを有し、第１領域から第２領域へ前記被記録媒体を案内するガイド部材と、
前記支持面に沿って前記被記録媒体を前記第１領域から前記第２領域へ搬送する搬送部と、
前記貫通孔を介して前記溝に吸引力を発生させる吸引部と、
前記第１領域において前記支持面に対向し、前記支持面との間に異物回収空間を形成する空間形成部材と、
前記第２領域において前記支持面に対向し、前記第２領域に搬送された前記被記録媒体に前記インク滴を吐出する記録ヘッドと
を備え、
前記複数の溝は、前記第１領域から前記第２領域まで延伸し、前記第２領域に投影される第１部分と、前記第１部分を除く第２部分とを有する溝を含み、
前記第１部分の深さが、前記第２部分の深さよりも浅い、インクジェット記録装置。
【請求項２】
前記貫通孔のうち、前記第１領域から前記第２領域まで延伸する前記溝に連通する前記貫通孔は、前記第２領域の外方に位置する、請求項１に記載のインクジェット記録装置。
【請求項３】
前記空間形成部材の前記支持面に対向する面が、導電体を含む、請求項１又は請求項２に記載のインクジェット記録装置。
【請求項４】
前記空間形成部材の前記支持面に対向する面が、接地されている、請求項３に記載のインクジェット記録装置。
【請求項５】
前記記録ヘッドを支持するヘッドベースを更に備え、
前記ヘッドベースには、前記異物回収空間に空気を流入させる孔が少なくとも１つ形成されている、請求項１〜請求項４のいずれか１項に記載のインクジェット記録装置。
【請求項６】
前記第１方向に対して前記空間形成部材よりも下流側に前記孔が形成されている、請求項５に記載のインクジェット記録装置。
【請求項７】
前記第１方向に対して前記空間形成部材よりも上流側に更に前記孔が形成されている、請求項６に記載のインクジェット記録装置。
【発明の詳細な説明】
【技術分野】
【０００１】
本発明は、インクジェット記録装置に関する。
【背景技術】
【０００２】
記録装置の一種として、インクジェット記録装置が知られている。インクジェット記録装置は、プリンター、複写機、複合機等に広く用いられている。インクジェット記録装置は、記録ヘッドのノズルからインク滴を吐出して、用紙のような被記録媒体に画像を記録する。
【０００３】
インクジェット記録装置は、紙粉のような異物がノズルに付着すると、インク滴を吐出できなくなる。その結果、画像不良が発生する。そのため、ノズルへの異物の付着を抑制する技術が種々提案されている。
【０００４】
例えば特許文献１に記載されたインクジェット記録装置は、被記録媒体の搬送方向に対して記録ヘッドよりも上流側に設けられた筐体と、その筐体内に設けられたエアー供給部とを備える。斯かる構成により、筐体内に搬送される被記録媒体に対してエアー供給部からエアーが供給されて、被記録媒体から異物が除去される。その結果、異物が除去された被記録媒体が記録ヘッドの下方に搬送される。よって、ノズルへの異物の付着が抑制される。
【先行技術文献】
【特許文献】
【０００５】
【特許文献１】特開２０１１−１８３７４６号公報
【発明の概要】
【発明が解決しようとする課題】
【０００６】
しかしながら、特許文献１に記載されたインクジェット記録装置は、紙粉のような異物を除去するために、専用のエアー供給部と、そのエアー供給部が配置される空間（筐体の内部空間）とを必要とする。このため、装置の大型化を招くという問題がある。また、構成が複雑化するという問題がある。
【０００７】
本発明は、上記問題に鑑みてなされたものであり、簡易な構成でノズルへの異物の付着を抑制できるインクジェット記録装置を提供することを目的とする。
【課題を解決するための手段】
【０００８】
本発明のインクジェット記録装置は、インク滴を吐出して、被記録媒体に画像を記録する。当該インクジェット記録装置は、ガイド部材と、搬送部と、吸引部と、空間形成部材と、記録ヘッドとを備える。前記ガイド部材は、第１領域から第２領域へ前記被記録媒体を案内する。前記ガイド部材は、複数の溝を有する。前記複数の溝は、前記被記録媒体が搬送される第１方向に延伸する。また前記ガイド部材は、前記溝内に開口して前記溝に連通する貫通孔と、支持面とを有する。前記支持面には、前記複数の溝が前記第１方向及び前記第１方向に直交する第２方向に沿って形成される。前記搬送部は、前記支持面に沿って前記被記録媒体を前記第１領域から前記第２領域へ搬送する。前記吸引部は、前記貫通孔を介して前記溝に吸引力を発生させる。前記空間形成部材は、前記第１領域において前記支持面に対向し、前記支持面との間に異物回収空間を形成する。前記記録ヘッドは、前記第２領域において前記支持面に対向し、前記第２領域に搬送された前記被記録媒体に前記インク滴を吐出する。更に、当該インクジェット記録装置において、前記複数の溝は、前記第１領域から前記第２領域まで延伸し、前記第２領域に投影される第１部分と、前記第１部分を除く第２部分とを有する溝を含む。前記第１部分の深さは、前記第２部分の深さよりも浅い。
【発明の効果】
【０００９】
本発明によれば、簡易な構成で、ノズルへの異物の付着を抑制できる。
【図面の簡単な説明】
【００１０】
【図１】本発明の実施形態に係るインクジェット記録装置の構成を示す図である。
【図２】本発明の実施形態に係る搬送ベルトを示す平面図である。
【図３】本発明の実施形態に係る搬送板を示す平面図である。
【図４】（ａ）本発明の実施形態に係る搬送板の溝及び貫通孔を示す平面図である。（ｂ）図４（ａ）に示すＡ−Ａ線に沿った溝及び貫通孔の断面図である。
【図５】本発明の実施形態に係る板状部材と搬送板の溝及び貫通孔との位置関係を示す図である。
【図６】本発明の実施形態に係る記録部の一部を拡大して示す図である。
【図７】図６の一部を拡大して示す図である。
【図８】本発明の実施形態に係る記録部の構成を示す図である。
【図９】搬送板に形成される溝の比較例を示す図である。
【図１０】本発明の実施形態に係る板状部材の近傍の構成を示す図である。
【図１１】本発明の実施形態に係る狭隙空間に用紙が進入する際の様子を示す図である。
【図１２】本発明の実施形態に係る狭隙空間から用紙が離れる際の様子を示す図である。
【図１３】本発明の実施形態に係る搬送板に形成される溝の他の例を示す断面図である。
【図１４】本発明の実施形態に係る搬送板に形成される溝の更に他の例を示す断面図である。
【図１５】本発明の実施形態に係る記録部の他の例を示す図である。
【図１６】本発明の実施形態に係る記録部の更に他の例を示す図である。
【発明を実施するための形態】
【００１１】
以下、図面を参照して本発明の実施形態を説明する。但し、図中、同一又は相当部分については同一の参照符号を付して説明を繰り返さない。図面は、理解しやすくするために、それぞれの構成要素を主体に模式的に示している。また、以下の各実施形態で示す材質や形状、寸法等は、一例であって特に限定されるものではない。
【００１２】
図１は、本実施形態に係るインクジェット記録装置１の構成を示す図である。インクジェット記録装置１はインク滴を吐出して、用紙Ｐ（被記録媒体の一例）に画像を記録する。
【００１３】
インクジェット記録装置１は、装置筐体１００と、装置筐体１００の内部の下方に配置された給紙部２と、給紙部２の上方に配置された記録部３と、記録部３の一側方（図１では右側）に配置された用紙搬送部４と、記録部３の他側方（図１では左側）に配置された用紙排出部５とを備える。
【００１４】
給紙部２は、用紙Ｐを用紙搬送部４へ給紙する。給紙部２は、装置筐体１００に着脱自在の給紙カセット２１と、給紙ローラー２２と、ガイド板２３とを備える。給紙ローラー２２は給紙カセット２１の一端側（図１では右側端）の上方に配置される。ガイド板２３は給紙ローラー２２と用紙搬送部４との間に配置される。
【００１５】
給紙カセット２１は、複数枚の用紙Ｐを収納可能である。給紙ローラー２２（ピックアップローラー）は、用紙Ｐを給紙カセット２１から１枚ずつ取り出し、ガイド板２３へ向けて送る。ガイド板２３は、給紙ローラー２２が取り出した用紙Ｐを用紙搬送部４へ案内する。
【００１６】
用紙搬送部４は、用紙Ｐを記録部３へ搬送する。用紙搬送部４は、略Ｃ字形の用紙搬送路４１と、用紙搬送路４１の入口側に設けられた第１搬送ローラー対４２と、用紙搬送路４１の途中に設けられた第２搬送ローラー対４３と、用紙搬送路４１の出口側に設けられたレジストローラー対４４とを備える。
【００１７】
用紙搬送路４１は、ガイド板によって構成される。第１搬送ローラー対４２は、給紙部２から給紙される用紙Ｐを挟んで用紙搬送路４１内に送出する。第２搬送ローラー対４３は、第１搬送ローラー対４２が送出した用紙Ｐを挟んでレジストローラー対４４へ向けて送出する。
【００１８】
レジストローラー対４４は、第２搬送ローラー対４３が送出した用紙Ｐの斜行補正を行う。また、レジストローラー対４４は、用紙Ｐへの画像の記録タイミングと、記録部３への用紙Ｐの搬送タイミングとを同期させるために、用紙Ｐを一時的に停止させた後、用紙Ｐを画像記録タイミングに合わせて記録部３に送出する。具体的には、用紙Ｐがレジストローラー対４４に当接して停止する。この当接により、用紙Ｐの斜行補正が行われる。その後、レジストローラー対４４が、用紙Ｐを画像記録タイミングに合わせて記録部３へ送出する。
【００１９】
記録部３は、用紙Ｐを搬送しつつ、用紙Ｐに画像を記録する。記録部３は、搬送部３１と、搬送板３２（ガイド部材の一例）と、搬送ガイド３３と、４種類の記録ヘッド３４ａ、３４ｂ、３４ｃ、３４ｄと、板状部材３５（空間形成部材の一例）と、ヘッドベース３６と、吸引部３７とを備える。４種類の記録ヘッド３４ａ、３４ｂ、３４ｃ、３４ｄは、略同一の構成を有するため、記録ヘッド３４と総称することもある。
【００２０】
搬送部３１は、レジストローラー対４４から送出された用紙Ｐを搬送する。搬送部３１は、搬送ベルト３１０（無端ベルトの一例）を備える。搬送部３１は、搬送ベルト３１０を所定の回転方向（図１では反時計回り方向）に回転させる。レジストローラー対４４が送出した用紙Ｐは、搬送ベルト３１０上に導かれる。搬送ベルト３１０が回転することにより、用紙Ｐが搬送される。
【００２１】
搬送板３２は、搬送ベルト３１０を支持すると共に、搬送ベルト３１０を介して用紙Ｐを支持する。搬送板３２は、搬送部３１（搬送ベルト３１０）が搬送する用紙Ｐを、矢印Ｘで示す方向（副走査方向）へ案内する。以下、搬送部３１（搬送ベルト３１０）によって用紙Ｐが搬送される方向を、用紙搬送方向Ｘと記載する。
【００２２】
搬送ガイド３３は、用紙搬送方向Ｘに対して搬送板３２よりも下流側（図１では左側）に配置される。したがって搬送板３２は、用紙Ｐを搬送ガイド３３へ案内する。つまり、搬送部３１は、用紙Ｐを搬送ガイド３３へ送出する。搬送ガイド３３は、搬送部３１が送出した用紙Ｐを用紙排出部５に案内する。
【００２３】
記録ヘッド３４は、ヘッドベース３６に保持されて搬送部３１の上方に配置され、搬送ベルト３１０を介して搬送板３２に対向する。記録ヘッド３４は、搬送部３１（搬送ベルト３１０）が用紙Ｐを搬送している間に、用紙Ｐに画像を記録する。詳しくは、記録ヘッド３４は、記録ヘッド３４に対向する位置を通過する用紙Ｐへ向けてインク滴を吐出する。これにより、用紙Ｐに文字、図形のような画像が記録される。
【００２４】
板状部材３５は、ヘッドベース３６の搬送部３１側（搬送板３２側）の面に固定されて、搬送部３１の上方に配置される。つまり、板状部材３５は、搬送ベルト３１０を介して搬送板３２に対向する。これにより、搬送ベルト３１０と板状部材３５との間に狭隙空間３５１（異物回収空間の一例）が形成される。板状部材３５をヘッドベース３６に固定することにより、板状部材３５を所定位置に容易に配置することができる。
【００２５】
板状部材３５は、用紙搬送方向Ｘに対して記録ヘッド３４よりも上流側（図１では右側）に配置される。詳しくは、記録ヘッド３４ａ、３４ｂ、３４ｃ、３４ｄのうち、用紙搬送方向Ｘに対して最も上流側に位置する記録ヘッド３４ａよりも用紙搬送方向Ｘの上流側に板状部材３５が配置される。したがって用紙Ｐは、板状部材３５の下方を通過した後、記録ヘッド３４の下方を通過して、搬送ガイド３３に至る。以下、記録ヘッド３４ａを最上流記録ヘッド３４ａと記載する場合がある。
【００２６】
吸引部３７は、搬送板３２の下方に配置される。吸引部３７は、搬送板３２及び搬送ベルト３１０を介して、用紙Ｐを搬送ベルト３１０へ向けて吸引する。その結果、用紙Ｐが搬送ベルト３１０に吸着される。
【００２７】
用紙排出部５は、用紙Ｐを装置筐体１００の外部に排出する。用紙排出部５は、排出ローラー対５１と、排出トレイ５２とを備える。排出トレイ５２は、装置筐体１００に形成された排出口１１から外部に突出するように装置筐体１００に固定される。排出口１１は、装置筐体１００の一方側面（図１では左側面）に形成されている。
【００２８】
排出ローラー対５１は、搬送ガイド３３を通過した用紙Ｐを排出口１１の方向に送出する。排出ローラー対５１が送出した用紙Ｐは、排出トレイ５２によって案内されて、排出口１１を介して装置筐体１００の外部に排出され、排出トレイ５２上に載置される。複数枚の用紙Ｐに連続して画像が記録された場合、複数枚の用紙Ｐは、排出トレイ５２上に積載される。
【００２９】
本実施形態では、板状部材３５が、用紙搬送方向Ｘに対して最上流記録ヘッド３４ａよりも上流側に狭隙空間３５１を形成する。これにより、狭隙空間３５１に風を発生させることができる。そして、その風によって、紙粉のような異物を用紙Ｐから剥離させることができる。つまり、レジストローラー対４４から記録部３へ送出された用紙Ｐには異物が付着している可能性がある。これに対し、板状部材３５を設けることにより、最上流記録ヘッド３４ａに対向する位置に用紙Ｐが到達するよりも前に用紙Ｐから異物を剥離させて、記録ヘッド３４の下方へ搬送される異物の量を減らすことができる。その結果、記録ヘッド３４のノズルへの異物の付着を抑制することができる。
【００３０】
異物は、製紙工程中に発生する可能性がある。具体的には、裁断工程において用紙Ｐの切断面に切り粉（紙粉）が発生して、用紙Ｐに付着する可能性がある。また、梱包時に用紙Ｐの表面同士が擦れて、紙粉や炭酸カルシウム、タルクのような異物が用紙Ｐから剥離し、用紙Ｐに付着する可能性がある。
【００３１】
また紙粉は、インクジェット記録装置１内で用紙Ｐを搬送する際に発生する可能性がある。例えば、用紙Ｐが給紙ローラー２２と摺擦することにより、用紙Ｐから繊維や填料が剥離し、紙粉となって用紙Ｐに付着する可能性がある。同様に、用紙Ｐが第１搬送ローラー対４２等の搬送ローラーと摺擦して紙粉が発生する可能性がある。また、用紙搬送部４を構成するガイド板に用紙Ｐが摺擦して紙粉が発生する可能性がある。更に、給紙ローラー２２が用紙Ｐをピックアップする際に、ピックアップされる用紙Ｐが、給紙カセット２１に収納されている用紙Ｐと摺擦して紙粉が発生する可能性がある。
【００３２】
また、用紙Ｐに付着している紙粉のような異物が、第１搬送ローラー対４２等の搬送ローラーに付着する可能性がある。この場合、搬送ローラーに付着した異物が、後から搬送される用紙Ｐに再度付着し、その結果、用紙Ｐによって一度に搬送される異物の量が多くなる可能性がある。
【００３３】
また、インクジェット記録装置１の装置筐体１００の内部には、様々な空気の流れが発生している。例えば、搬送ベルト３１０の上方から吸引部３７の内部へ空気が流れる。また、用紙Ｐが搬送されることで、用紙搬送方向Ｘへの空気の流れが発生する。したがって、用紙Ｐは風に当たりながら記録ヘッド３４の下方を通過する。また、記録ヘッド３４と搬送ベルト３１０との間の空間は狭いため、記録ヘッド３４と搬送ベルト３１０との間では、比較的強い風が発生し易い。したがって、記録ヘッド３４の下方は、風によって用紙Ｐから異物が吹き飛ばされやすい（舞い上がりやすい）環境になっている。そのため、用紙Ｐから吹き飛ばされた異物が記録ヘッド３４のノズルに付着する可能性がある。
【００３４】
また、紙粉の付着力は、一般的にクーロン力が支配的となる。このため、搬送板３２と記録ヘッド３４との間に電界が生じた場合、その電気的な力によって、紙粉が飛翔し、記録ヘッド３４へ引き寄せられる可能性がある。その結果、紙粉が記録ヘッド３４のノズルに付着する可能性がある。
【００３５】
本実施形態では、狭隙空間３５１に風を発生させることによって、紙粉のような異物を用紙Ｐから剥離させる。狭隙空間３５１に流れる空気は、用紙Ｐから異物を剥離させるために十分な風速で流れる必要がある。具体的には、用紙Ｐが狭隙空間３５１に進入した際に、狭隙空間３５１の空気流入口に６．０ｍ／秒以上の風速の風（空気の流れ）を発生させることにより、用紙Ｐから異物を剥離することができる。用紙Ｐから剥離した異物は、吸引部３７によって吸引される。
【００３６】
続いて図２を参照して、搬送ベルト３１０について説明する。図２は、搬送ベルト３１０を示す平面図である。図２に示すように、搬送ベルト３１０には複数の吸引孔３１１が穿孔されている。吸引孔３１１の直径は、２ｍｍであり得る。また、隣接する吸引孔３１１間の間隔は、８ｍｍであり得る。
【００３７】
複数の吸引孔３１１は、用紙搬送方向Ｘ、及び、用紙搬送方向Ｘに直交する方向（主走査方向）に沿って配列される。以下、用紙搬送方向Ｘ（第１方向）に直交する方向（第２方向）を用紙幅方向と記載する。複数の吸引孔３１１は、図２に示すように、千鳥状に配置され得る。
【００３８】
続いて図３及び図４を参照して、搬送板３２について説明する。図３は、搬送板３２を示す平面図である。詳しくは、図３は、搬送板３２の記録ヘッド３４（図１参照）側の面３２０の一部を示す。以下、搬送板３２の記録ヘッド３４側の面３２０を支持面３２０と記載する場合がある。搬送板３２は支持面３２０により、搬送ベルト３１０（図１参照）を介して用紙Ｐを支持する。
【００３９】
搬送板３２は、金属材料から構成される。具体的には、搬送板３２の材料として、アルミダイキャスト、プレス加工板等を使用できる。あるいは、搬送板３２の材料として、搬送ベルト３１０との摺動性に優れた樹脂を選択することも可能である。搬送板３２が金属材料から構成される場合、搬送板３２は接地され得る。
【００４０】
図３に示すように、支持面３２０に複数の溝３２１が形成されている。各溝３２１は、記録ヘッド３４（図１参照）側が開口する長溝である。詳しくは、各溝３２１の形状は、用紙搬送方向Ｘに延伸する長円状である。
【００４１】
複数の溝３２１は、用紙搬送方向Ｘ及び用紙幅方向に沿って配列される。複数の溝３２１は、図３に示すように、千鳥状に配置され得る。詳しくは、複数の溝３２１は、搬送ベルト３１０の吸引孔３１１（図２参照）と対向し得る位置に配列される。つまり複数の溝３２１は、吸引孔３１１と連通できる位置に配列される。この配列により、搬送ベルト３１０の進行（回転）に伴って、各溝３２１に対向する吸引孔３１１が１つずつ入れ替わってゆく。各溝３２１は、少なくとも２つの吸引孔３１１と対向し得るように形成される。
【００４２】
また搬送板３２には、複数の貫通孔３２２が形成されている。複数の貫通孔３２２は、複数の溝３２１内に位置する。詳しくは、各溝３２１内に少なくとも１つの貫通孔３２２が位置する。各貫通孔３２２は、対応する溝３２１に連通する。各貫通孔３２２の断面は、円形状であり得る。複数の貫通孔３２２は、図３に示すように、千鳥状に配置され得る。
【００４３】
図４（ａ）は、搬送板３２の溝３２１及び貫通孔３２２を示す平面図であり、図４（ｂ）は、図４（ａ）に示すＡ−Ａ線に沿った溝３２１及び貫通孔３２２の断面図である。図４（ａ）及び図４（ｂ）に示すように、貫通孔３２２は、搬送板３２をその厚み方向（図４（ｂ）では上下方向）に貫通しており、貫通孔３２２の一方端は、対応する溝３２１内に開口する。
【００４４】
続いて図５を参照して、板状部材３５と、搬送板３２に形成されている溝３２１及び貫通孔３２２との位置関係について説明する。図５は、板状部材３５と、搬送板３２の溝３２１及び貫通孔３２２との位置関係を示す図である。
【００４５】
図５に示すように、複数の溝３２１は、板状部材３５の下方の領域から、用紙搬送方向Ｘに対して板状部材３５よりも下流側の領域に延伸（突出）する複数の溝３２１ａを含む。本実施形態において、各溝３２１ａは、板状部材３５の下方の領域から、最上流記録ヘッド３４ａの下方の領域を超える位置まで延伸している。換言すれば、用紙搬送方向Ｘにおいて、各溝３２１ａの下流端は、最上流記録ヘッド３４ａの下方の領域よりも下流側に位置する。各溝３２１ａ内の貫通孔３２２ａは、板状部材３５と最上流記録ヘッド３４ａとの間に位置している。本実施形態では、各貫通孔３２２ａは、用紙搬送方向Ｘにおいて最上流記録ヘッド３４ａの直上流側に位置している。
【００４６】
続いて図６を参照して、搬送部３１（搬送ベルト３１０）によって搬送される用紙Ｐが通過する領域（位置）について説明する。図６は、記録部３の一部を拡大して示す図である。詳しくは、図６は、ヘッドベース３６の周辺の構成を示す。また図６は、理解を容易にするために、搬送板３２の断面を示している。
【００４７】
図６に示すように、用紙Ｐは、搬送板３２の支持面３２０（図３参照）に沿って、第１領域Ａから第２領域Ｂへ搬送される。換言すれば、搬送板３２は、第１領域Ａから第２領域Ｂへ用紙Ｐを案内する。第１領域Ａは板状部材３５の下方の領域であり、板状部材３５は第１領域Ａにおいて、搬送ベルト３１０を介して搬送板３２（支持面３２０）に対向する。第２領域Ｂは記録ヘッド３４の下方の領域であり、記録ヘッド３４は第２領域Ｂにおいて、搬送ベルト３１０を介して搬送板３２（支持面３２０）に対向する。
【００４８】
更に図６を参照して、搬送板３２に形成されている溝３２１ａについて説明する。図６に示すように、溝３２１ａは、第１領域Ａから第２領域Ｂまで延伸している。換言すれば、用紙搬送方向Ｘにおいて、溝３２１ａの上流端は第１領域Ａに位置し、溝３２１ａの下流端は第２領域Ｂに位置する。
【００４９】
続いて図７を参照して、溝３２１ａの深さについて説明する。図７は、図６の一部を拡大して示す図である。但し、理解を容易にするために、搬送ベルト３１０は図示していない。本実施形態では、用紙搬送方向Ｘに沿った溝３２１ａの断面形状が、他の溝３２１と異なる。具体的には、図７に示すように、溝３２１ａは、第１部分Ｓ１と第２部分Ｓ２とを有する。溝３２１ａの第１部分Ｓ１は、第２領域Ｂに投影される部分であり、溝３２１ａの第２部分Ｓ２は、第１部分Ｓ１を除く部分である。そして、溝３２１ａの第１部分Ｓ１の深さＨ１が、溝３２１ａの第２部分Ｓ２の深さＨ２よりも浅くなっている。本実施形態では、用紙搬送方向Ｘに沿った溝３２１ａの断面形状は段付き形状であり、用紙搬送方向Ｘにおける貫通孔３２２ａの下流端を境にして、溝３２１ａの深さが浅くなっている。
【００５０】
更に図７を参照して、溝３２１ａ内に位置する貫通孔３２２ａについて説明する。図７に示すように、貫通孔３２２ａは、第２領域Ｂの外方に位置する。本実施形態において貫通孔３２２ａは、第１領域Ａと第２領域Ｂとの間に位置する。より詳しくは、本実施形態の貫通孔３２２ａは、第２領域Ｂの外方において、第２領域Ｂの投影像に接するように設けられている。
【００５１】
続いて、図１、図２、図６〜図８を参照して、記録部３の構成を説明する。図８は、記録部３の構成を示す図である。図８は、理解を容易にするために、搬送板３２の断面及び吸引部３７の一部（箱状部材３７１）の断面を示している。
【００５２】
搬送部３１は、装置筐体１００（図１参照）内において、記録ヘッド３４に対向する。搬送部３１は、搬送ベルト３１０の内周側に配置された駆動ローラー３１２、ベルト速度検知ローラー３１３、テンションローラー３１４、及び一対のガイドローラー３１５を備える。搬送部３１は更に、搬送ベルト３１０の外周側に配置された吸着ローラー３１６を備える。
【００５３】
搬送ベルト３１０は、駆動ローラー３１２、ベルト速度検知ローラー３１３、テンションローラー３１４、及び一対のガイドローラー３１５に張架される。張架された搬送ベルト３１０の内周側に、搬送板３２及び吸引部３７が配置される。搬送板３２は、搬送ベルト３１０を介して、記録ヘッド３４及び板状部材３５に対向する。吸引部３７は、搬送ベルト３１０の内周側において、搬送板３２の下方に配置される。
【００５４】
駆動ローラー３１２は、用紙搬送方向Ｘに対して搬送板３２よりも下流側（図８では左側）に配置される。駆動ローラー３１２はモーター（図示せず）によって回転駆動され、所定の回転方向（図８では反時計回り方向）に搬送ベルト３１０を回転させる。搬送ベルト３１０が回転することにより、用紙Ｐが用紙搬送方向Ｘに搬送される。
【００５５】
ベルト速度検知ローラー３１３は、用紙搬送方向Ｘに対して搬送板３２よりも上流側（図８では右側）に配置され、搬送ベルト３１０との間に発生する摩擦によって回転する。好ましくは、ベルト速度検知ローラー３１３は、駆動ローラー３１２と共に、記録ヘッド３４と対面する箇所の搬送ベルト３１０の平面性を維持するように配置される。
【００５６】
ベルト速度検知ローラー３１３はパルス板（図示せず）を含み、パルス板は、ベルト速度検知ローラー３１３と一体になって回転する。パルス板の回転速度を測定することにより、搬送ベルト３１０の回転速度が検知される。
【００５７】
テンションローラー３１４は、搬送ベルト３１０が撓まないように、搬送ベルト３１０に張力を与える。一対のガイドローラー３１５は、搬送ベルト３１０が吸引部３７の下方を通過するように、搬送ベルト３１０を案内する。
【００５８】
吸着ローラー３１６は従動ローラーである。吸着ローラー３１６は、用紙搬送方向Ｘにおける搬送板３２の上流側の端部に、搬送ベルト３１０を介して対向する。吸着ローラー３１６は、レジストローラー対４４（図１参照）が送出した用紙Ｐを搬送ベルト３１０上へ誘導して、搬送ベルト３１０に吸着させる。
【００５９】
吸引部３７は、搬送板３２の溝３２１及び貫通孔３２２と、搬送ベルト３１０の吸引孔３１１（図２参照）とを介して、空気を吸引する。この吸引により、搬送板３２の上方の空間に風が発生する。用紙Ｐが搬送ベルト３１０上に案内されて搬送ベルト３１０の一部を覆うと、用紙Ｐに吸引力（負圧）が作用して、用紙Ｐが搬送ベルト３１０に吸着される。吸引部３７は、上面が開口した箱状部材３７１と、第１吸引装置３７２ａと、第２吸引装置３７２ｂと、第１ダクト３７３ａと、第２ダクト３７３ｂとを備える。
【００６０】
搬送板３２は、箱状部材３７１の上面開口を覆うように配置される。搬送板３２と箱状部材３７１とにより、圧力室３７４が区画される。圧力室３７４は、搬送板３２の貫通孔３２２及び溝３２１を介して、搬送ベルト３１０の吸引孔３１１に連通する。
【００６１】
第１吸引装置３７２ａと第２吸引装置３７２ｂとは、箱状部材３７１の下面に固定される。詳しくは、箱状部材３７１の底壁に、第１開口３７５ａと第２開口３７５ｂとが形成されており、第１吸引装置３７２ａは、第１開口３７５ａに対応して配置され、第２吸引装置３７２ｂは、第２開口３７５ｂに対応して配置される。
【００６２】
また、第１開口３７５ａは、板状部材３５の下方に形成され、第２開口３７５ｂは、記録ヘッド３４の下方に形成される。つまり、第１吸引装置３７２ａは、板状部材３５の下方（図６に示す第１領域Ａの下方）に位置し、第２吸引装置３７２ｂは、記録ヘッド３４の下方（図６に示す第２領域Ｂの下方）に位置する。したがって、第１吸引装置３７２ａは、第１領域Ａの下方において負圧（吸引力）を発生させ、第２吸引装置３７２ｂは、第２領域Ｂの下方において負圧（吸引力）を発生させる。
【００６３】
第１ダクト３７３ａは、第１吸引装置３７２ａの下面に接続される。第２ダクト３７３ｂは、第２吸引装置３７２ｂの下面に接続される。
【００６４】
第１吸引装置３７２ａ及び第２吸引装置３７２ｂが駆動することによって、圧力室３７４内に、５００Ｐａの負圧（ゲージ圧）が発生する。この負圧により、貫通孔３２２を介して溝３２１に吸引力が発生し、溝３２１を介して搬送ベルト３１０の吸引孔３１１に吸引力が発生する。その結果、搬送ベルト３１０の吸引孔３１１、搬送板３２の溝３２１、及び搬送板３２の貫通孔３２２を介して、圧力室３７４内に空気が吸引される。圧力室３７４内に吸引された空気は、第１吸引装置３７２ａ、第２吸引装置３７２ｂ、第１ダクト３７３ａ、及び第２ダクト３７３ｂを介して排気される。また、用紙Ｐが搬送ベルト３１０上に案内されて、複数の吸引孔３１１のうちの一部を塞ぐと、用紙Ｐによって塞がれた吸引孔３１１から用紙Ｐに吸引力（負圧）が作用して、用紙Ｐが搬送ベルト３１０に吸着される。
【００６５】
第１吸引装置３７２ａ及び第２吸引装置３７２ｂは、ファンである。但し、第１吸引装置３７２ａ及び第２吸引装置３７２ｂはファンに限定されるものではなく、例えば真空ポンプであってもよい。
【００６６】
本実施形態では、第１吸引装置３７２ａの吸引力が、第２吸引装置３７２ｂの吸引力よりも大きい。このため、搬送板３２に形成されている各貫通孔３２２の吸引力に差が生じる。具体的には、第１吸引装置３７２ａに近い程、貫通孔３２２の吸引力が大きくなる。したがって、板状部材３５の下方（第１領域Ａ）に形成されている溝３２１の吸引力が、記録ヘッド３４の下方（第２領域Ｂ）に形成されている溝３２１の吸引力よりも大きくなる。よって、第１領域Ａを通過中の吸引孔３１１の吸引力が、第２領域Ｂを通過中の吸引孔３１１の吸引力よりも大きくなる。その結果、第１領域Ａにおいて吸引孔３１１に流れ込む空気流の速さ（風速）が、第２領域Ｂにおいて吸引孔３１１に流れ込む空気流の速さ（風速）よりも大きくなる。換言すれば、板状部材３５の下方に発生する風の風速が、記録ヘッド３４の下方に発生する風の風速よりも大きくなる。
【００６７】
４種類の記録ヘッド３４ａ、３４ｂ、３４ｃ、３４ｄはそれぞれ、互いに異なる色のインク滴を吐出し得る。具体的には、ブラック、シアン、マゼンタ、及びイエローの各色のインク滴が、それぞれ、各記録ヘッド３４ａ、３４ｂ、３４ｃ、３４ｄから吐出され得る。
【００６８】
また、記録ヘッド３４はヘッドベース３６に保持されて、搬送ベルト３１０との間に所定の間隔（１ｍｍ）が形成されるような高さに支持され得る。なおインクジェット記録装置１は、搬送ベルト３１０によって搬送される用紙Ｐ（被記録媒体）の厚みに応じてヘッドベース３６を昇降させる機構を備え得る。斯かる構成により、記録ヘッド３４と用紙Ｐとの間に所定の距離（１ｍｍ）が形成されるような高さに、記録ヘッド３４を支持することが可能となる。
【００６９】
４種類の記録ヘッド３４ａ、３４ｂ、３４ｃ、３４ｄは、用紙搬送方向Ｘの上流側から下流側に向けて（図８では左向きに）並設される。記録ヘッド３４は、用紙幅方向（図８では、紙面に直交する方向）に配列された複数のノズル（図示せず）を備える。複数のノズルからインク滴が吐出されて、用紙Ｐに文字、図形のような画像が記録される。
【００７０】
なお、記録ヘッド３４はラインヘッドと呼ばれる。即ち、インクジェット記録装置１は、ラインヘッド方式のインクジェット記録装置である。本実施形態において、記録ヘッド３４の用紙幅方向の長さは、搬送板３２が案内可能な（つまり、インクジェット記録装置１が記録可能な）被記録媒体の最大幅以上である。
【００７１】
板状部材３５は、最上流記録ヘッド３４ａと吸着ローラー３１６との間に配置される。板状部材３５の用紙搬送方向Ｘの長さは、６０ｍｍである。板状部材３５の少なくとも下面は、導電体から構成され得る。導電体としては、ステンレス等を使用し得る。板状部材３５の全部、又は板状部材３５を部分的に構成する導電体は、接地され得る。板状部材３５は、搬送ベルト３１０との間に狭隙空間３５１を形成する。狭隙空間３５１は、第１領域Ａに形成される。
【００７２】
図１を参照して説明したように、板状部材３５は、用紙搬送方向Ｘに対して最上流記録ヘッド３４ａよりも上流側に狭隙空間３５１を形成して、狭隙空間３５１に風を発生させる。その風によって、紙粉のような異物を用紙Ｐから剥離させることができる。つまり、第２領域Ｂに用紙Ｐが進入するよりも前に、第１領域Ａにおいて用紙Ｐから異物を剥離させることができる。第１領域Ａにおいて用紙Ｐから異物を剥離させることにより、第２領域Ｂ（記録ヘッド３４の下方）へ搬送される異物の量を減らすことができる。その結果、記録ヘッド３４のノズルへの異物の付着を抑制することができる。
【００７３】
本実施形態では、板状部材３５の厚みを調整することによって、狭隙空間３５１の空気流入口の断面積を小さく設定する。これにより、狭隙空間３５１内に、用紙Ｐから異物を剥離させるために十分な風速の風を発生させる。剥離した異物は、圧力室３７４内へ吸引され、主に第１吸引装置３７２ａを介して第１ダクト３７３ａから排出される。
【００７４】
ヘッドベース３６には、第１孔３６１が形成されている。第１孔３６１は、用紙搬送方向Ｘに対して板状部材３５よりも上流（図８では右側）に位置する。またヘッドベース３６には、第２孔３６２が形成されている。第２孔３６２は、用紙搬送方向Ｘに対して板状部材３５よりも下流（図８では左側）に位置する。換言すれば、用紙搬送方向Ｘにおいて板状部材３５を挟むように第１孔３６１及び第２孔３６２が設けられる。
【００７５】
第１孔３６１及び第２孔３６２はそれぞれ、用紙幅方向に延びた長孔である。圧力室３７４が負圧になると、第１孔３６１及び第２孔３６２を介して狭隙空間３５１に空気が流入する。なお、本実施形態では、用紙幅方向に延びた第１孔３６１及び第２孔３６２がヘッドベース３６に形成される場合について説明するが、本発明はこれに限定されない。ヘッドベース３６に形成される孔は、長孔以外の形状であってもよい。例えば、用紙幅方向に沿って略円柱状の孔が複数個形成されてもよい。
【００７６】
本実施形態では、搬送板３２に形成されている溝３２１ａが、板状部材３５の下方の領域（第１領域Ａ）から記録ヘッド３４の下方の領域（第２領域Ｂ）まで延伸している。また、溝３２１ａ内の貫通孔３２２ａが、第２吸引装置３７２ｂよりも第１吸引装置３７２ａに近い位置に配置されている。したがって、貫通孔３２２ａには、主に第１吸引装置３７２ａによって吸引力が発生する。よって、貫通孔３２２ａに発生する吸引力は、第２領域Ｂに位置する貫通孔３２２に発生する吸引力よりも大きくなる。このため、図９に示すように、溝３２１ａの第１部分Ｓ１の深さＨ１と、溝３２１ａの第２部分Ｓ２の深さＨ２とが同じである場合、溝３２１ａの吸引力により、第１領域Ａ（板状部材３５の下方の領域）における吸引力だけではなく、第２領域Ｂにおける吸引力（本実施形態では、最上流記録ヘッド３４ａの下方の吸引力）も大きくなる。つまり、溝３２１ａの吸引力によって、記録ヘッド３４の下方の空間にまで風速の大きな空気の流れ（風）が発生する。その結果、第２領域Ｂにおいて異物が飛散して、記録ヘッド３４のノズルに異物が付着し、ノズル詰まり（インク不吐出）が発生し易くなる。
【００７７】
これに対し、本実施形態では、図７に示すように、溝３２１ａの第１部分Ｓ１の深さＨ１が、溝３２１ａの第２部分Ｓ２の深さＨ２よりも浅くなっている。斯かる構成によれば、第２領域Ｂにおける溝３２１ａの吸引力を、第１領域Ａにおける溝３２１ａの吸引力よりも小さくすることができる。したがって、記録ヘッド３４の下方における吸引力を大きくすることなく、板状部材３５の下方における吸引力を大きくして異物回収効率を高めることができる。換言すれば、記録ヘッド３４の下方に吹く風の風速を強めることなく、用紙Ｐから異物を剥離させるために十分な風速の風を狭隙空間３５１内に発生させることができる。
【００７８】
続いて図１０を参照して、板状部材３５と用紙Ｐ（被記録媒体）との間の距離ＴＤについて説明する。図１０は、板状部材３５の近傍の構成を示す図である。
【００７９】
本実施形態において、板状部材３５と用紙Ｐとの間の距離ＴＤは、１．５ｍｍ以上３．０ｍｍ以下である。距離ＴＤは、例えば２ｍｍである。距離ＴＤをこのように設定し、圧力室３７４内に５００Ｐａの負圧（ゲージ圧）を発生させることで、狭隙空間３５１の空気流入口（具体的には、板状部材３５と用紙Ｐとの間）に６．０ｍ／秒以上の風速の風を発生させることができる。
【００８０】
続いて図１〜図８、図１１及び図１２を参照して、記録部３の動作について説明する。図１１は、狭隙空間３５１に用紙Ｐが進入する際の様子を示す図である。詳しくは、図１１は、用紙Ｐが狭隙空間３５１に進入する際に、用紙Ｐの前端部（図１１では左側の端部）から異物ｍが剥離する様子を示す。図１２は、狭隙空間３５１から用紙Ｐが離れる際の様子を示す図である。詳しくは、図１２は、用紙Ｐが狭隙空間３５１から離れる際に、用紙Ｐの後端部（図１２では右側の端部）から異物ｍが剥離する様子を示す。
【００８１】
用紙Ｐに画像を記録する際には、駆動ローラー３１２が回転駆動されるとともに、第１吸引装置３７２ａ及び第２吸引装置３７２ｂが駆動される。これにより、搬送ベルト３１０が回転し、圧力室３７４に負圧が発生する。この負圧により、各貫通孔３２２を介して各溝３２１に吸引力が発生する。そして、回転する搬送ベルト３１０の各吸引孔３１１に、各溝３２１を介して吸引力が発生する。詳しくは、回転する搬送ベルト３１０のうち、搬送板３２によって支持される箇所に位置する各吸引孔３１１（搬送板３２の上に位置する各吸引孔３１１）に吸引力が発生する。その結果、搬送板３２及び搬送ベルト３１０を介して圧力室３７４へ空気が吸引される。また、第１孔３６１及び第２孔３６２から狭隙空間３５１に空気が流入する。
【００８２】
レジストローラー対４４により記録部３へ送出された用紙Ｐは、吸着ローラー３１６によって搬送ベルト３１０上に導かれる。この際、用紙Ｐの用紙幅方向の中心が、搬送ベルト３１０の用紙幅方向の中心と一致するように、用紙Ｐが搬送ベルト３１０に導かれることが好ましい。用紙Ｐは、搬送ベルト３１０の一部を覆う。換言すれば、複数の吸引孔３１１の一部を覆う。その結果、吸引力（負圧）が用紙Ｐに作用して、用紙Ｐが搬送ベルト３１０に吸着される。そして、用紙Ｐは、搬送ベルト３１０の回転に伴って用紙搬送方向Ｘに搬送される。
【００８３】
用紙Ｐは、搬送ベルト３１０によって、第１領域Ａ（板状部材３５の下方）を通過した後、第２領域Ｂ（記録ヘッド３４の下方）を通過する。板状部材３５の下方、つまり狭隙空間３５１に用紙Ｐが進入すると、図１１に示すように、用紙Ｐの前端部が、矢印Ｄ１で示す風に曝される。矢印Ｄ１で示す風は、第１孔３６１から狭隙空間３５１へ向けて流入する空気の流れであり、用紙搬送方向Ｘの上流側から下流側に向けて（図１１では左向きに）吹く。この風によって、用紙Ｐの前端部に付着している異物ｍが、用紙Ｐから剥離される。剥離された異物ｍは、板状部材３５の下方に位置する吸引孔３１１から、板状部材３５の下方に位置する溝３２１へ導かれ、対応する貫通孔３２２を介して圧力室３７４内へ導かれる。そして、圧力室３７４を通り、主に第１吸引装置３７２ａ及び第１ダクト３７３ａを通過して、外部に排出される。
【００８４】
また、用紙Ｐが狭隙空間３５１から離れる際には、図１２に示すように、用紙Ｐの後端部が、矢印Ｄ２で示す風に曝される。矢印Ｄ２で示す風は、第２孔３６２から狭隙空間３５１へ向けて流入する空気の流れであり、用紙搬送方向Ｘの下流側から上流側に向けて（図１２では右向きに）吹く。この風によって、用紙Ｐの後端部に付着している異物ｍが、用紙Ｐから剥離される。剥離された異物ｍは、板状部材３５の下方に位置する吸引孔３１１から、板状部材３５の下方に位置する溝３２１へ導かれ、対応する貫通孔３２２を介して圧力室３７４内へ導かれる。そして、圧力室３７４を通り、主に第１吸引装置３７２ａ及び第１ダクト３７３ａを通過して、外部に排出される。
【００８５】
用紙Ｐが第２領域Ｂを通過する際には、４種類の記録ヘッド３４ａ、３４ｂ、３４ｃ、３４ｄにそれぞれ対向する位置へ用紙Ｐの各部分が連続して搬送される。この間に、４種類の記録ヘッド３４ａ、３４ｂ、３４ｃ、３４ｄから、それぞれ、各色のインク滴が用紙Ｐへ向けて吐出される。これによって、用紙Ｐに画像が記録される。
【００８６】
以上説明した本実施形態によれば、簡易な構成で記録ヘッド３４のノズルへの異物の付着を抑制できる。
【００８７】
また、本実施形態によれば、板状部材３５の下方に配置された溝３２１の吸引力が、記録ヘッド３４の下方に配置された溝３２１の吸引力よりも大きい。斯かる構成によれば、異物回収効率を高めることができる。
【００８８】
また、本実施形態によれば、溝３２１ａの上方に板状部材３５を配置しても、記録ヘッド３４の下方における吸引力を高めることなく、異物回収効率を高めることができる。したがって、板状部材３５と最上流記録ヘッド３４ａとの間の距離を縮めて、装置の小型化を図ることが可能となる。
【００８９】
また本実施形態では、板状部材３５の少なくとも下面が導電体から構成される。斯かる構成によれば、帯電している紙粉が板状部材３５に付着し難くなる。また、板状部材３５を構成する導電体を接地することにより、帯電している紙粉が板状部材３５に更に付着し難くなる。
【００９０】
また本実施形態では、ヘッドベース３６に第１孔３６１及び第２孔３６２が形成されているため、狭隙空間３５１に空気をスムーズに流れ込ませることができる。
【００９１】
また本実施形態では、吸引部３７が独立した２つの吸引装置３７２ａ、３７２ｂを備えているため、板状部材３５の下方に配置された溝３２１の吸引力を、記録ヘッド３４の下方に配置された溝３２１の吸引力よりも大きくすることが容易に可能となる。したがって、容易に異物回収効率を高めることができる。
【００９２】
以上、図面を参照しながら本発明の実施形態について説明した。但し、本発明は、上記の実施形態に限られるものではなく、その要旨を逸脱しない範囲で種々の態様において実施することが可能である。
【００９３】
例えば、本発明の実施形態では、搬送ベルト３１０が用紙Ｐを搬送する形態について説明したが、その他の方法で用紙Ｐを搬送する形態でもよい。例えば、複数の搬送ローラーによって用紙Ｐを搬送する形態でもよい。この場合には、互いに隣接する搬送ローラーの間から空気の吸引を行うことが好ましい。
【００９４】
また、本発明の実施形態では、狭隙空間３５１が板状部材３５によって形成される形態について説明したが、狭隙空間３５１をその他の方法で形成する形態でもよい。例えば、用紙搬送方向Ｘに対して記録ヘッド３４の上流側において、ヘッドベース３６が搬送ベルト３１０側に突出して形成され、狭隙空間３５１を形成する形態でもよい。この場合には、構造を簡略化することができる。
【００９５】
あるいは、板状部材３５に替えて、２つのローラーに張架されたベルトによって狭隙空間３５１を形成する形態でもよい。具体的には、空間形成部材として、駆動ローラーと従動ローラーとに張架された無端ベルトを使用し得る。この場合、無端ベルトのうち、搬送ベルト３１０又は搬送板３２に対向する面が、搬送ベルト３１０又は搬送板３２と平行になるように、駆動ローラー及び従動ローラーを配置することが好ましい。斯かる構成によれば、無端ベルトに紙粉が付着した場合であっても、無端ベルトを回転駆動させて、無端ベルトのうち、紙粉が付着していない面を、搬送ベルト３１０又は搬送板３２に対向させることができる。よって、サービスマン等が無端ベルトに付着した紙粉を除去する頻度を減少させることができる。
【００９６】
また、本発明の実施形態では、ヘッドベース３６に第１孔３６１が形成される形態について説明したが、本発明はこれに限定されない。用紙搬送方向Ｘにおけるヘッドベース３６の長さを短くして、用紙搬送方向Ｘにおけるヘッドベース３６の上流側の端と、吸着ローラー３１６との間の隙間を大きくする形態でもよい。
【００９７】
また、本発明の実施形態では、搬送板３２と箱状部材３７１とが別部材である形態について説明したが、搬送板３２と箱状部材３７１とが一体に形成されている形態でもよい。この場合には、圧力室３７４からの負圧のリーク、即ち搬送板３２と箱状部材３７１との間の隙間からの圧力室３７４への空気の流入を防止することができる。
【００９８】
また、本発明の実施形態では、板状部材３５がヘッドベース３６に固定されている形態について説明したが、板状部材３５が装置筐体１００内に設けられた他の固定部材に固定されている形態でもよい。例えば、板状部材３５の用紙幅方向の両端を固定部材に固定する形態でもよい。斯かる構成によれば、用紙搬送方向Ｘに対して板状部材３５の下流側及び上流側から狭隙空間３５１内に流入する空気の流れを阻害する部材が存在しないため、狭隙空間３５１における風速を更に増大することができる。したがって、紙粉を更に効果的に除去することができる。
【００９９】
また、本発明の実施形態では、各溝３２１ａが、板状部材３５の下方の領域から、最上流記録ヘッド３４ａの下方の領域を超える位置まで延伸する形態について説明したが、本発明はこれに限定されない。用紙搬送方向Ｘにおける各溝３２１ａの下流端は、第２領域Ｂに位置すればよい。
【０１００】
また、本発明の実施形態では、各溝３２１ａ内の貫通孔３２２ａが、第１領域Ａと第２領域Ｂとの間に位置する形態について説明したが、本発明はこれに限定されない。貫通孔３２２ａは、第２領域Ｂの外方に位置すればよく、例えば、貫通孔３２２ａは、板状部材３５の下方（第１領域Ａ）に設けられてもよい。
【０１０１】
また、本発明の実施形態では、用紙搬送方向Ｘに沿った各溝３２１ａの断面形状が１段の段付き形状であったが、各溝３２１ａの断面形状はこれに限定されない。溝３２１ａの断面形状は、第１部分Ｓ１の深さＨ１が第２部分Ｓ２の深さＨ２よりも浅くなる形状であればく、例えば図１３に示すように、溝３２１ａの断面形状は２段の段付き形状であってもよい。具体的には、図１３に示す溝３２１ａは、第１領域Ａと第２領域Ｂとの間の第３領域Ｃに投影される箇所の深さＨ３が、第１領域Ａに投影される箇所の深さＨ２よりも浅くなっている（Ｈ３＜Ｈ２）。このような断面形状であっても、溝３２１ａの第１部分Ｓ１の深さＨ１が、溝３２１ａの第２部分Ｓ２の深さ（Ｈ２及びＨ３）よりも浅いため、記録ヘッド３４の下方（第２領域Ｂ）における吸引力を高めることなく、異物回収効率を高めることができる。あるいは、図１４に示すように、溝３２１ａは、第３領域Ｃに投影される箇所の深さＨ３が第１領域Ａに投影される箇所の深さＨ２より深くてもよい（Ｈ３＞Ｈ２）。このような断面形状であっても、溝３２１ａの第１部分Ｓ１の深さＨ１が、溝３２１ａの第２部分Ｓ２の深さ（Ｈ２及びＨ３）よりも浅いため、記録ヘッド３４の下方（第２領域Ｂ）における吸引力を高めることなく、異物回収効率を高めることができる。
【０１０２】
また、本発明の実施形態では、用紙搬送方向Ｘに沿った各溝３２１ａの断面形状が１段又は２段の段付き形状である形態について説明したが、各溝３２１ａの断面形状は、３段以上の段付き形状であってもよい。
【０１０３】
また、本発明の実施形態では、用紙搬送方向Ｘに沿った各溝３２１ａの断面形状が段付き形状であったが、各溝３２１ａの断面形状は段付き形状に限定されるものではない。溝３２１ａの断面形状は、溝３２１ａの第１部分Ｓ１の深さＨ１を、溝３２１ａの第２部分Ｓ２の深さＨ２よりも浅くする形状であればよい。例えば、溝３２１ａの底面が、第１領域Ａと第２領域Ｂとの間において傾斜してもよい。
【０１０４】
また、本発明の実施形態では、独立した２つの吸引装置３７２ａ、３７２ｂによって１つの圧力室３７４内に負圧を発生させる形態について説明したが、本発明はこれに限定されない。例えば、図１５に示すように、吸引部３７に２つの圧力室３７４ａ、３７４ｂが設けられてもよい。
【０１０５】
図１５は、記録部３の他の例を示す図である。図１５に示す構成では、吸引部３７が仕切り板３７６を更に含む。仕切り板３７６は、搬送板３２と箱状部材３７１とによって区画される空間内に立設している。仕切り板３７６は、搬送板３２と箱状部材３７１とによって区画される空間を２つに分けて、２つの圧力室３７４ａ、３７４ｂを形成する。詳しくは、仕切り板３７６は、搬送板３２と箱状部材３７１とによって区画される空間を、第１吸引装置３７２ａの吸引力が作用する圧力室３７４ａと、第２吸引装置３７２ｂの吸引力が作用する圧力室３７４ｂとに分ける。斯かる構成によれば、狭隙空間３５１における吸引力と、記録ヘッド３４の下方の空間における吸引力とを個別に調節することが可能となる。その結果、狭隙空間３５１における吸引力を、記録ヘッド３４の下方の空間における吸引力よりも大きくすることが容易となる。
【０１０６】
また、本発明の実施形態では、狭隙空間３５１における吸引力を、記録ヘッド３４の下方の空間における吸引力よりも大きくするために、独立した２つの吸引装置３７２ａ、３７２ｂを使用する形態について説明したが、本発明はこれに限定されない。
【０１０７】
例えば図１６に示すように、吸引装置３７２が１つだけ使用されてもよい。図１６は、記録部３の更に他の例を示す図である。図１６に示すように、吸引装置３７２を１つだけ使用する場合、板状部材３５の下方の圧力室３７４の深さＨ１１を、記録ヘッド３４の下方の圧力室３７４の深さＨ１２よりも深くする。そして、板状部材３５の下方に吸引装置３７２を配置する。斯かる構成によっても、狭隙空間３５１における吸引力を、記録ヘッド３４の下方の空間における吸引力よりも大きくすることができる。
【０１０８】
あるいは、３つ以上の吸引装置が使用されてもよい。例えば、板状部材３５の下方に２つの吸引装置が配置され、記録ヘッド３４の下方に１つの吸引装置が配置されてもよい。つまり、板状部材３５の下方に配置する吸引装置の数を、記録ヘッド３４の下方に配置する吸引装置の数よりも多くしてもよい。斯かる構成によれば、各吸引装置に対して互いに等しい電力を供給することができ、電源系統の簡素化を図ることができる。
【０１０９】
また、本発明の実施形態では、フルカラーで画像を記録可能なインクジェット記録装置に本発明を適用した場合について説明したが、本発明は、モノクロで画像を記録するインクジェット記録装置にも適用可能である。
【０１１０】
なお、本発明の実施形態で説明された各事項は適宜組み合わせることが可能である。
【産業上の利用可能性】
【０１１１】
本発明は、インク滴の吐出によって被記録媒体に画像を記録可能な電子機器に利用可能である。
【符号の説明】
【０１１２】
１          インクジェット記録装置
３          記録部
３１        搬送部
３１０      搬送ベルト
３１１      吸引孔
３２        搬送板
３２１、３２１ａ    溝
３２２、３２２ａ    貫通孔
３４、３４ａ〜３４ｄ    記録ヘッド
３５        板状部材
３５１      狭隙空間
３７        吸引部
３７２ａ    第１吸引装置
３７２ｂ    第２吸引装置
３７４      圧力室
Ｐ          用紙
【図１】
2016112742.tif 000003
【図２】
2016112742.tif 000004
【図３】
2016112742.tif 000005
【図４】
2016112742.tif 000006
【図５】
2016112742.tif 000007
【図６】
2016112742.tif 000008
【図７】
2016112742.tif 000009
【図８】
2016112742.tif 000010
【図９】
2016112742.tif 000011
【図１０】
2016112742.tif 000012
【図１１】
2016112742.tif 000013
【図１２】
2016112742.tif 000014
【図１３】
2016112742.tif 000015
【図１４】
2016112742.tif 000016
【図１５】
2016112742.tif 000017
【図１６】
2016112742.tif 000018